(57)【要約】【課題】樹脂材料からなるフレーム本体において乗員支持部材が取り付けられる部位の剛性を確保する。【解決手段】樹脂材料からなる前側フレーム片１４及び後側フレーム片１５を組み合せて形成されるフレーム本体１０と、車両用シートＳの幅方向におけるフレーム本体１０の両端部の間に配置される乗員支持部材３と、を備えたシートバックフレーム１において、前側フレーム片１４に形成された前側挟み部２１と後側フレーム片１５に形成された後側挟み部３１とが係合し合うことによってフレーム本体１０が形成され、乗員支持部材３は、前側挟み部２１と後側挟み部３１との間に挟み込まれることによりフレーム本体１０に対して取り付けられる。【選択図】図７
2014034328.tif 000002
【特許請求の範囲】
【請求項１】
乗員が着座する車両用シートに備えられるシートバックフレームであって、
樹脂材料からなる前側フレーム片及び樹脂材料からなる後側フレーム片を組み合せて形成されるフレーム本体と、
前記車両用シートの幅方向における前記フレーム本体の両端部の間に配置され、前記車両用シートに着座した乗員を背側から支持する乗員支持部材と、を備え、
前記前側フレーム片に形成された前側挟み部と前記後側フレーム片に形成された後側挟み部とが係合し合うことにより、前記フレーム本体が形成され、
前記乗員支持部材は、前記前側挟み部と前記後側挟み部との間に挟み込まれることにより、前記フレーム本体に対して取り付けられることを特徴とするシートバックフレーム。
【請求項２】
前記乗員支持部材が前記前側挟み部と前記後側挟み部との間に挟み込まれる位置から前記幅方向の内側へ移動するのを規制する移動規制部が、前記前側挟み部及び前記後側挟み部のうち、少なくとも一方に形成されていることを特徴とする請求項１に記載のシートバックフレーム。
【請求項３】
前記移動規制部は、前記前側挟み部及び前記後側挟み部の各々に形成されていることを特徴とする請求項２に記載のシートバックフレーム。
【請求項４】
前記前側挟み部と前記後側挟み部とが係合し合った状態では、前記前側挟み部に形成された前記移動規制部、及び、前記後側挟み部に形成された前記移動規制部が前記幅方向において隣り合い、かつ、互いに対向する位置に配置されることを特徴とする請求項３に記載のシートバックフレーム。
【請求項５】
前記前側挟み部と前記後側挟み部とが係合し合った状態では、前記後側挟み部に形成された前記移動規制部が、前記前側挟み部に形成された前記移動規制部よりも前記幅方向の内側にあることを特徴とする請求項４に記載のシートバックフレーム。
【請求項６】
前記前側挟み部は、前記幅方向における前記前側フレーム片の端部から前記幅方向の内側に突出して形成された前側凸部を有し、
前記後側挟み部は、前記幅方向における前記後側フレーム片の端部から前記幅方向の内側に突出して形成された後側凸部を有することを特徴とする請求項１乃至５のいずれか一項に記載のシートバックフレーム。
【請求項７】
前記前側凸部は、前記幅方向における前記前側フレーム片の端部のうち、前記車両用シートの前後方向において後端側に位置する領域から突出していることを特徴とする請求項６に記載のシートバックフレーム。
【請求項８】
前記前側凸部及び前記後側凸部の各々は、前記幅方向において最も内側に位置する頂面と、該頂面と隣接する３つの隣接面と、を有し、
前記前側凸部及び前記後側凸部のうちの少なくとも一方が有する前記３つの隣接面中、最も上側に位置する上面は、前記頂面に近付くほど下方に位置する傾斜面であることを特徴とする請求項６または７に記載のシートバックフレーム。
【請求項９】
前記前側挟み部及び前記後側挟み部の各々には、前記乗員支持部材が前記前側挟み部と前記後側挟み部との間に挟み込まれる位置から前記幅方向の内側へ移動するのを規制する移動規制部が形成されており、
前記前側挟み部と前記後側挟み部とが係合し合った状態では、前記前側挟み部に形成された前記移動規制部は、前記前側凸部の後端から延出して前記後側凸部の前端よりも後方まで延びており、前記後側挟み部に形成された前記移動規制部は、前記後側凸部の前端から延出して前記前側凸部の後端よりも前方まで延びていることを特徴とする請求項６乃至８のいずれか一項に記載のシートバックフレーム。
【請求項１０】
前記前側凸部及び前記後側凸部の各々は、前記幅方向において最も内側に位置する頂面を有し、
前記前側挟み部に形成された前記移動規制部の上端及び下端は、上下方向において前記前側凸部の前記頂面の上端及び下端の間に位置し、かつ、前記後側挟み部に形成された前記移動規制部の上端及び下端は、上下方向において前記後側凸部の前記頂面の上端及び下端の間に位置していることを特徴とする請求項９に記載のシートバックフレーム。
【請求項１１】
前記前側挟み部と前記後側挟み部とが係合し合った状態では、前記前側挟み部に形成された前記移動規制部、及び、前記後側挟み部に形成された前記移動規制部が前記幅方向において隣り合い、かつ、互いに対向する位置に配置され、
前記乗員支持部材は、上下方向に蛇行しながら前記幅方向に沿って延出しており、
前記前側挟み部及び前記後側挟み部の各々に形成された前記移動規制部の上端及び下端は、上下方向において、前記乗員支持部材が蛇行して到達する上端位置と下端位置の間に位置していることを特徴とする請求項９または１０に記載のシートバックフレーム。
【請求項１２】
前記前側凸部と前記後側凸部が係合し合った状態では、前記前側凸部と前記後側凸部との間に隙間が形成され、
該隙間に前記幅方向における前記乗員支持部材の端部が挿入されることにより、前記乗員支持部材は、前記前側挟み部と前記後側挟み部との間に挟み込まれるようになり、
前記隙間に備えられた、前記乗員支持部材の端部が挿入される側の開口は、前記幅方向に沿って長くなるように形成されていることを特徴とする請求項６乃至１１のいずれか一項に記載のシートバックフレーム。
【発明の詳細な説明】
【技術分野】
【０００１】
本発明は、乗員が着座する車両用シートに備えられるシートバックフレームに係り、特に、樹脂材料からなるフレーム片を組み合せて形成されるフレーム本体と、フレーム本体の幅方向両端部の間に配置された乗員支持部材とを備えるシートバックフレームに関する。
【背景技術】
【０００２】
従来から、フレーム本体の幅方向両端部の間に乗員支持部材が配置されたシートバックフレームは、既に知られている（例えば、特許文献１参照）。乗員支持部材は、シートに着座した乗員を背側から支持するものである。また、乗員支持部材は、主にスプリング等の弾性体から構成されており、例えば、車両用シートのケースでは車両が後突荷重を受けたときには、乗員が後方に沈み込むように変形する。これにより、乗員に対する後突荷重の影響が緩和されるようになる。
【０００３】
以上のような効果を発揮するため、乗員支持部材は、フレーム本体の所定部位に掛ける等して、フレーム本体に対して適切に取り付けられなければならない。ここで、シートバックフレームが金属製である場合には、フレーム本体に乗員支持部材の取り付け部位を設けるにあたり、当該取り付け部位をなす部品を溶接にてフレーム本体に設けるのが好適である。
【先行技術文献】
【特許文献】
【０００４】
【特許文献１】特開２０１２−７１７５１号公報
【発明の概要】
【発明が解決しようとする課題】
【０００５】
ところで、近年、成形性や軽量性の観点からフレーム本体の材質として樹脂材料が用いられてきている。しかしながら、樹脂材料からなるフレーム本体に対して乗員支持部材取り付け用の部品を設ける際、溶接にて当該部品を取り付けるのは困難である。
一方、フレーム本体の一部を加工して乗員支持部材の取り付け部位をフレーム本体と一体的に形成することが考えられる。ただし、このような構成では、乗員支持部材をフレーム本体に対して適切に取り付けるうえで、フレーム本体のうち、取り付け部位自体の剛性が確保されていなければならない。
【０００６】
また、当然ながら、フレーム本体に取り付けられた乗員支持部材が容易にフレーム本体から外れてしまわないように、フレーム本体に対する乗員支持部材の取り付け状態を良好に保持できることが求められている。換言すると、フレーム本体に取り付けられた乗員支持部材がフレーム本体に対して移動してしまうのを効果的に規制し得る構成が望ましい。
【０００７】
また、フレーム本体における乗員支持部材の取り付け位置については、車両が後突荷重を受けた際に乗員が後方へ沈み込むのに適した位置となっている必要がある。
また、フレーム本体に乗員支持部材を取り付けるときには、これに伴って車両用シートが大型化してしまうのを抑える必要がある。
また、フレーム本体のうち、乗員支持部材が取り付けられる部位については、剛性を確保しつつ、さらに、乗員支持部材を取り付ける際の取り付け易さを向上させることが求められる。
また、前述したように、フレーム本体に取り付けられた乗員支持部材については、その取り付け状態が良好に保持される必要があるが、より具体的には、乗員支持部材がその取り付け位置にて安定するような構造が求められている。
【０００８】
そこで、本発明は、上記の問題に鑑みてなされたものであり、その目的は、樹脂材料からなるフレーム本体において乗員支持部材が取り付けられる部位の剛性を確保することが可能なシートバックフレームを提供することにある。
また、本発明の他の目的は、フレーム本体に取り付けられた乗員支持部材がフレーム本体に対して移動してしまうのを効果的に規制すること、さらに、乗員支持部材がその取り付け位置にて安定するような構造を実現することである。
また、本発明の他の目的は、フレーム本体における乗員支持部材の取り付け位置を、車両が後突荷重を受けた際に乗員が後方へ沈み込むのに適した位置とすることである。
また、本発明の他の目的は、フレーム本体に乗員支持部材を取り付ける際に車両用シートが大型化してしまうのを抑えることである。
また、本発明の他の目的は、フレーム本体の乗員支持部材が取り付けられる部位について、剛性を確保しつつ、乗員支持部材を取り付ける際の取り付け易さを向上させることである。
【課題を解決するための手段】
【０００９】
前記課題は、本発明のシートバックフレームによれば、乗員が着座する車両用シートに備えられるシートバックフレームであって、樹脂材料からなる前側フレーム片及び樹脂材料からなる後側フレーム片を組み合せて形成されるフレーム本体と、前記車両用シートの幅方向における前記フレーム本体の両端部の間に配置され、前記車両用シートに着座した乗員を背側から支持する乗員支持部材と、を備え、前記前側フレーム片に形成された前側挟み部と前記後側フレーム片に形成された後側挟み部とが係合し合うことにより、前記フレーム本体が形成され、前記乗員支持部材は、前記前側挟み部と前記後側挟み部との間に挟み込まれることにより、前記フレーム本体に対して取り付けられることで解決される。
【００１０】
上記のシートバックフレームでは、乗員支持部材が、フレーム本体を構成する前側フレーム片と後側フレーム片との間に挟み込まれることでフレーム本体に対して取り付けられる。そして、各フレーム片において乗員支持部材を挟み込む部位は、フレーム片同士を組み合わせる際に係合し合う部分であるため、その剛性については比較的高くなっている。したがって、上記のシートバックフレームであれば、樹脂材料からなるフレーム本体において乗員支持部材が取り付けられる部位の剛性を確保することが可能となる。
【００１１】
また、上記のシートバックフレームにおいて、前記乗員支持部材が前記前側挟み部と前記後側挟み部との間に挟み込まれる位置から前記幅方向の内側へ移動するのを規制する移動規制部が、前記前側挟み部及び前記後側挟み部のうち、少なくとも一方に形成されていると、好適である。
以上の構成であれば、前側挟み部と後側挟み部との間に挟み込まれる位置から乗員支持部材が幅方向内側へ移動するのを規制して、フレーム本体における取り付け位置に乗員支持部材を安定的に保持しておくことが可能になる。
【００１２】
なお、上記のシートバックフレームにおいて、前記移動規制部は、前記前側挟み部及び前記後側挟み部の各々に形成されていると、より好適である。
以上の構成であれば、乗員支持部材が前側挟み部と後側挟み部との間に挟み込まれる位置から幅方向内側へ移動するのを、より効果的に規制することが可能になる。
【００１３】
さらに、上記のシートバックフレームにおいて、前記前側挟み部と前記後側挟み部とが係合し合った状態では、前記前側挟み部に形成された前記移動規制部、及び、前記後側挟み部に形成された前記移動規制部が前記幅方向において隣り合い、かつ、互いに対向する位置に配置されると、より一層好適である。
以上の構成であれば、乗員支持部材が前側挟み部と後側挟み部との間に挟み込まれる位置から幅方向内側へ移動するのを、より一層効果的に規制することが可能になる。
【００１４】
また、上記のシートバックフレームにおいて、前記前側挟み部と前記後側挟み部とが係合し合った状態では、前記後側挟み部に形成された前記移動規制部が、前記前側挟み部に形成された前記移動規制部よりも前記幅方向の内側にあると、さらに好適である。
以上の構成であれば、前側挟み部と後側挟み部とが係合し合った状態において、後側挟み部に形成された移動規制部の前端位置が、前側挟み部の前端位置よりも後方に位置するようになる。つまり、後側挟み部に形成された移動規制部の前端と前側挟み部の前端との間に段差が形成されるようになる。これにより、当該段差の分だけ、車両用シートにおいて乗員が沈み込めるスペースが拡張されるので、乗員の沈み込み量がより多く確保されるようになる。
【００１５】
また、上記のシートバックフレームにおいて、前記前側挟み部は、前記幅方向における前記前側フレーム片の端部から前記幅方向の内側に突出して形成された前側凸部を有し、前記後側挟み部は、前記幅方向における前記後側フレーム片の端部から前記幅方向の内側に突出して形成された後側凸部を有すると、好適である。
以上の構成であれば、各挟み部の凸部が各フレーム片の幅方向端部から幅方向内側に突出しているので、シートバックフレームの大型化、特に、幅方向外側への広がりを抑制することが可能となる。
【００１６】
また、上記のシートバックフレームにおいて、前記前側凸部は、前記幅方向における前記前側フレーム片の端部のうち、前記車両用シートの前後方向において後端側に位置する領域から突出していると、より好適である。
以上の構成であれば、フレーム片の間に乗員支持部材を挟み込む構成において、乗員支持部材が車両用シートの前後方向においてより後方に配置される。かかる乗員支持部材の配置位置は、車両が受けた後突荷重によって乗員が後方へ沈み込むのに適した位置となるので、当該乗員支持部材を備えた車両用シートでは、乗員の沈み込み量が適切に確保されるようになる。
【００１７】
また、上記のシートバックフレームにおいて、前記前側凸部及び前記後側凸部の各々は、前記幅方向において最も内側に位置する頂面と、該頂面と隣接する３つの隣接面と、を有し、前記前側凸部及び前記後側凸部のうちの少なくとも一方が有する前記３つの隣接面中、最も上側に位置する上面は、前記頂面に近付くほど下方に位置する傾斜面であると、より一層好適である。
以上の構成であれば、前側凸部及び後側凸部のうちの少なくとも一方の上面が傾斜面になっているので、上面の面積がより大きくなる。この結果、当該上面が視認し易くなるので、前側凸部と後側凸部の間に乗員支持部材を取り付ける際に上面の位置が確認し易くなるなど、作業性が向上することとなる。
【００１８】
また、上記のシートバックフレームにおいて、前記前側挟み部及び前記後側挟み部の各々には、前記乗員支持部材が前記前側挟み部と前記後側挟み部との間に挟み込まれる位置から前記幅方向の内側へ移動するのを規制する移動規制部が形成されており、前記前側挟み部と前記後側挟み部とが係合し合った状態では、前記前側挟み部に形成された前記移動規制部は、前記前側凸部の後端から延出して前記後側凸部の前端よりも後方まで延びており、前記後側挟み部に形成された前記移動規制部は、前記後側凸部の前端から延出して前記前側凸部の後端よりも前方まで延びていると、さらに好適である。
以上の構成であれば、前側凸部及び後側凸部の各々に形成された移動規制部が、対をなす凸部の前後方向手前側の端に差し掛かるように延出している。これにより、乗員支持部材は、移動規制部による規制を受けつつ、前側挟み部及び後側挟み部に挟まれる位置に配置される。この結果、乗員支持部材の取り付け状態を安定的に保持することができる。
【００１９】
なお、上記のシートバックフレームにおいて、前記前側凸部及び前記後側凸部の各々は、前記幅方向において最も内側に位置する頂面を有し、前記前側挟み部に形成された前記移動規制部の上端及び下端は、上下方向において前記前側凸部の前記頂面の上端及び下端の間に位置し、かつ、前記後側挟み部に形成された前記移動規制部の上端及び下端は、上下方向において前記後側凸部の前記頂面の上端及び下端の間に位置している、より好適である。
以上の構成であれば、移動規制部が上下方向において各凸部の上端と下端の間に収まるので、シートバックフレームの大型化、特に、上下方向への広がりを抑制することが可能になる。
【００２０】
さらに、上記のシートバックフレームにおいて、前記前側挟み部と前記後側挟み部とが係合し合った状態では、前記前側挟み部に形成された前記移動規制部、及び、前記後側挟み部に形成された前記移動規制部が前記幅方向において隣り合い、かつ、互いに対向する位置に配置され、前記乗員支持部材は、上下方向に蛇行しながら前記幅方向に沿って延出しており、前記前側挟み部及び前記後側挟み部の各々に形成された前記移動規制部の上端及び下端は、上下方向において、前記乗員支持部材が蛇行して到達する上端位置と下端位置の間に位置していると、さらに好適である。
以上の構成であれば、移動規制部が上下方向において乗員支持部材が存在する範囲内に収まるので、上下方向におけるシートバックフレームの大型化をより効果的に抑制することが可能になる。
【００２１】
また、上記のシートバックフレームにおいて、前記前側凸部と前記後側凸部が係合し合った状態では、前記前側凸部と前記後側凸部との間に隙間が形成され、該隙間に前記幅方向における前記乗員支持部材の端部が挿入されることにより、前記乗員支持部材は、前記前側挟み部と前記後側挟み部との間に挟み込まれるようになり、前記隙間に備えられた、前記乗員支持部材の端部が挿入される側の開口は、前記幅方向に沿って長くなるように形成されていると、好適である。
以上の構成であれば、前側凸部と後側凸部との間に形成される隙間の開口が幅方向に沿って長いので、当該隙間に乗員支持部材を挿入し易くなり、乗員支持部材の組み付け性が向上する。
【発明の効果】
【００２２】
本発明の請求項１に記載の発明によれば、樹脂材料からなるフレーム本体において乗員支持部材が取り付けられる部位の剛性が確保されたシートバックフレームを提供することが可能となる。
本発明の請求項２に記載の発明によれば、前側挟み部と後側挟み部との間に挟み込まれる位置から乗員支持部材が幅方向内側へ移動するのを規制して、フレーム本体における取り付け位置に乗員支持部材を安定的に保持しておくことが可能になる。
本発明の請求項３に記載の発明によれば、前側挟み部と後側挟み部との間に挟み込まれる位置から乗員支持部材が幅方向内側へ移動するのを、より効果的に規制することが可能になる。
本発明の請求項４に記載の発明によれば、前側挟み部と後側挟み部との間に挟み込まれる位置から乗員支持部材が幅方向内側へ移動するのを、より一層効果的に規制することが可能になる。
本発明の請求項５に記載の発明によれば、後側挟み部に形成された移動規制部の前端と前側挟み部の前端との間に段差が形成され、当該段差の分、乗員が沈み込めるスペースが拡張されるため、車両用シートにおいて乗員の沈み込み量がより多く確保される。
本発明の請求項６に記載の発明によれば、シートバックフレームの大型化、特に、幅方向外側への広がりを抑制することが可能となる。
本発明の請求項７に記載の発明によれば、乗員支持部材が車両用シートの前後方向においてより後方に配置されるので、当該乗員支持部材を備えるシートバックフレームを備えた車両用シートでは、乗員の沈み込み量が適切に確保されるようになる。
本発明の請求項８に記載の発明によれば、前側凸部及び後側凸部のうちの少なくとも一方の上面が視認し易くなるので、前側挟み部と後側挟み部との間に乗員支持部材を挟み込む際に上面の位置が確認し易くなるなど、作業性が向上する。
本発明の請求項９に記載の発明によれば、乗員支持部材が移動規制部による規制を受けつつ前側挟み部及び後側挟み部に挟まれる位置に配置されるため、乗員支持部材の取り付け状態を安定的に保持することができる。
本発明の請求項１０に記載の発明によれば、移動規制部が上下方向において各凸部の上端と下端の間に収まるので、シートバックフレームの大型化、特に、上下方向への広がりを抑制することが可能になる。
本発明の請求項１１に記載の発明によれば、移動規制部が上下方向において乗員支持部材が存在する範囲内に収まるので、上下方向におけるシートバックフレームの大型化をより効果的に抑制することが可能になる。
本発明の請求項１２に記載の発明によれば、前側凸部と後側凸部との間に形成される隙間に乗員支持部材の端部を挿入し易くなるので、乗員支持部材の組み付け性が向上する。
【図面の簡単な説明】
【００２３】
【図１】車両用シートの外観図である。
【図２】車両用シートのシートフレームを示す斜視図である。
【図３】本発明の一実施形態に係るシートバックフレームの正面図である。
【図４】本発明の一実施形態に係るシートバックフレームの背面図である。
【図５】本発明の一実施形態に係る乗員支持部材とその周辺の構造を示す斜視図である。
【図６】本発明の一実施形態に係る乗員支持部材の取り付け構造を示す図であり、図５中の範囲Ｘについての拡大図である。
【図７】本発明の一実施形態に係る乗員支持部材の取り付け構造を示す図であり、当該取り付け構造を俯瞰した時の図である。
【図８】本発明の一実施形態に係る乗員支持部材の取り付け構造を示す図であり、前側凸部及び後側凸部についての説明図である。
【図９】本発明の一実施形態に係る前側凸部を示す斜視図である。
【図１０】本発明の一実施形態に係る前側凸部の側面図である。
【図１１】本発明の一実施形態に係る後側凸部を示す斜視図である。
【図１２】本発明の一実施形態に係る後側凸部の正面図である。
【図１３】本発明の一実施形態における前側凸部、後側凸部及び乗員支持部材の位置関係を示す図であり、図８のＡ−Ａ断面図である。
【発明を実施するための形態】
【００２４】
以下、本発明の一実施形態（以下、本実施形態）に係る車両用シートについて、図１乃至１３を参照しながら説明する。
図１は、車両用シートの外観図である。図２は、車両用シートのシートフレームを示す斜視図である。図３及び４は、本発明の一実施形態に係るシートバックフレームを示す図であり、図３が正面図であり、図４が背面図である。図５は、本発明の一実施形態に係る乗員支持部材とその周辺の構造を示す斜視図である。図６乃至８は、本発明の一実施形態に係る乗員支持部材の取り付け構造を示す図であり、図６が図５中の範囲Ｘについての拡大図であり、図７が取り付け構造を俯瞰した時の図であり、図８が前側凸部及び後側凸部についての説明図である。図９及び１０は、本発明の一実施形態に係る前側凸部を示す図であり、図９が斜視図であり、図１０が側面図である。図１１及び１２は、本発明の一実施形態に係る後側凸部を示す図であり、図１１が斜視図であり、図１２が正面図である。図１３は、本発明の一実施形態における前側凸部、後側凸部及び乗員支持部材の位置関係を示す図であり、図８のＡ−Ａ断面図である。
【００２５】
ここで、以下の説明中、車両用シートの前後方向とは、車両の進行方向に一致する方向のことであり、以下では単に前後方向と呼ぶ。また、車両用シートの幅方向とは、車両の横幅に沿う方向と一致する方向のことであり、以下では単に幅方向と呼ぶ。また、上下方向とは、車両の上下方向のことである。
なお、以下の説明では、特に断る場合を除き、車両内において車両用シートが使用状態、すなわち、乗員が車両用シートに着座している状態にあるときの構成を示し、以下の説明で述べる方向や位置は、上記の状態における方向や位置であることとする。
【００２６】
本発明の実施形態（以下、本実施形態）に係る車両用シートＳは、車両の乗員が着座するものである。車両用シートＳは、図１に示すように、乗員が凭れ掛かるシートバックＳ１、乗員の臀部が載置されるシートクッションＳ２、及び、乗員の頭部を支えるヘッドレストＳ３を構成要素として備える。シートバックＳ１及びシートクッションＳ２は、それぞれ、フレーム１，２に不図示のクッションパッドを配し、不図示の表皮材で被覆されることで構成される。ヘッドレストＳ３は、不図示の心材に不図示クッションパッドを配し、不図示の表皮材で被覆されることにより構成される。なお、ヘッドレストＳ３は、シートバックフレーム１に取り付けられたヘッドレストピラーＨＰによって支持される。
【００２７】
本実施形態に係る車両用シートＳのフレームは、図２に示すように、シートバックＳ１を構成するシートバックフレーム１、シートクッションＳ２を構成するシートクッションフレーム２を有する。シートクッションフレーム２は、平面視で矩形状の枠体をなすように形成されており、特に本実施形態では、樹脂材料としての炭素繊維強化プラスチック（ＣＦＲＰ）にて一体成形されている。
【００２８】
シートバックフレーム１は、図３及び４に示すように、正面視で矩形状の枠体をなすフレーム本体１０と、Ｓ字状に蛇行したスプリング（所謂Ｓバネ）からなる乗員支持部材３とを有する。フレーム本体１０は、略台形状に形成された上部フレーム１１と、幅方向において互いに離れた状態で一対形成されたサイドフレーム１２と、サイドフレーム１２の下端部同士を連結する下部フレーム１３とを有する。ここで、一対のサイドフレーム１２は、幅方向におけるフレーム本体１０の両端部に相当する。
【００２９】
そして、本実施形態に係るフレーム本体１０は、前後２つに分割されたフレーム片１４，１５を組み合わせることによって構成されている。フレーム本体１０を構成する２つのフレーム片１４，１５は、いずれも、樹脂材料としてのＣＦＲＰからなり、金型成形によって一体成形されている。なお、フレーム片１４，１５の材質についてはＣＦＲＰに限定されず、ＣＦＲＰ以外の他の樹脂材料、例えば、炭素繊維なしのプラスチックが用いられることとしてもよい。また、フレーム片１４，１５の成形方法については、金型内にＣＦＲＰを投入して一体成形する場合に限定されず、金型成形以外の方法、例えば、樹脂材料からなるシートをフレーム形状に合わせて積層させることでフレーム片１４，１５を成形することとしてもよい。
【００３０】
また、２つのフレーム片１４，１５は、いずれも、上部フレーム１１に対応する部分、サイドフレーム１２に対応する部分、及び、下部フレーム１３に対応する部分を有している。ここで、上部フレーム１１に対応する部分とは、各フレーム片１４，１５中、フレーム片１４，１５同士が組み合わさった際に上部フレーム１１を構成する部分のことである。同様に、サイドフレーム１２に対応する部分とは、各フレーム片１４，１５中、フレーム片１４，１５同士が組み合わさった際にサイドフレーム１２を構成する部分のことである。また、下部フレーム１３に対応する部分とは、フレーム片１４，１５同士が組み合わさった際に下部フレーム１３を構成する部分のことである。
【００３１】
そして、フレーム片１４，１５同士が組み合わさると、中空状のフレーム本体１０が形成され、より具体的に説明すると、例えば、サイドフレーム１２の水平面で切断した際の断面については閉断面構造となる。
【００３２】
以上のフレーム片１４，１５については、後に詳しく説明する。なお、以降の説明では、２つのフレーム片１４，１５のうち、車両用シートＳにおいてより前方側に配置されるフレーム片１４を前側フレーム片１４と呼び、より後方側に配置されるフレーム片１５を後側フレーム片１５と呼ぶこととする。
【００３３】
乗員支持部材３は、上下方向に蛇行しながら幅方向に沿って延出した状態でフレーム本体１０に取り付けられる。特に、本実施形態では、フレーム本体１０の上部フレーム１１、サイドフレーム１２及び下部フレーム１３によって囲まれた略方形状の穴ＲＨ内に乗員支持部材３が配置される。乗員支持部材３は、通常時には車両用シートＳに着座した乗員を背側から支持する一方で、車両が後突荷重を受けたときには、乗員が後方に沈み込むように変形する。このように乗員支持部材３が変形することにより、乗員に対する後突荷重の影響が緩和されるようになる。
【００３４】
なお、本実施形態では、２つの乗員支持部材３が上下方向において互いに離れた状態で上記の穴ＲＨ内に配置されている。ただし、乗員支持部材３は少なくとも１つ以上あればよく、その個数については任意に設定することが可能である。
【００３５】
そして、本実施形態では、各サイドフレーム１２に形成された取り付け部位に乗員支持部材３の幅方向両端部が取り付けられると、乗員支持部材３が上記の穴ＲＨ内に配置されるようになる。より具体的に説明すると、乗員支持部材３は、幅方向に沿って一方のサイドフレーム１２から他方のサイドフレーム１２に架け渡されている。かかる手順により乗員支持部材３がサイドフレーム１２の間に配置される。また、当該配置位置において、乗員支持部材３は、上下方向に蛇行しながら幅方向に沿って延出している。
【００３６】
一方、本実施形態では、フレーム本体１０のサイドフレーム１２の一部には乗員支持部材３の取り付け部位が形成されており、当該取り付け部位は、サイドフレーム１２中の他の部位とともにＣＦＲＰによって一体的に形成されている。
【００３７】
ところで、発明が解決しようとする課題の項で説明したように、ＣＦＲＰからなるフレーム本体１０の一部を加工して乗員支持部材３の取り付け部位を形成する構成では、乗員支持部材３をフレーム本体１０に対して適切に取り付けるうえで、フレーム本体１０のうち、取り付け部位自体の剛性が確保されている必要がある。
このため、本実施形態では、フレーム本体１０の中で比較的剛性が高い部位を乗員支持部材３の取り付け部位として用いており、この結果、フレーム本体１０に対する乗員支持部材３の取り付け状態を良好に保持することが可能となる。
なお、本実施形態に係る乗員支持部材３の取り付け構造については、後に詳述する。
【００３８】
次に、フレーム本体１０、及び、その構成要素であるフレーム片１４，１５について詳しく説明する。
先ず、前側フレーム片１４について説明すると、前側フレーム片１４では、上部フレーム１１に対応する部分、サイドフレーム１２に対応する部分、及び、下部フレーム１３に対応する部分の大部分が前方に膨出している。なお、図２に示すように、本実施形態では、前側フレーム片１４のうち、上部フレーム１１に対応する部分の一部が、上下方向に沿って延びており、ヘッドレストピラーＨＰを保持する保持部１４ｈを形成している。
【００３９】
さらに、前側フレーム片１４のサイドフレーム１２に対応する部分には、当該部分の内側表面１４ｂに形成された前側挟み部２１が設けられている。この前側挟み部２１は、後述する後側挟み部３１と協働し、乗員支持部材３の端部を保持する。これにより、乗員支持部材３がフレーム本体１０に対して取り付けられるようになる。なお、前側挟み部２１が形成された内側表面１４ｂは、幅方向における前側フレーム片１４の端部に相当する。
【００４０】
前側挟み部２１についてより詳しく説明すると、図９及び１０に示すように、前側挟み部２１は、内側表面１４ｂから幅方向内側に突出して形成された前側凸部２２を備えている。この前側凸部２２は、前側フレーム片１４中のサイドフレーム１２に対応する部分の所定領域を幅方向内側へ略直方形状に隆起させて形成されている。また、前側凸部２２は、幅方向において最も内側に位置する頂面２４を有している。この頂面２４は、幅方向を法線方向とする平坦面となっている。
【００４１】
さらに、前側凸部２２は、頂面２４と隣接する３つの隣接面を有しており、具体的に説明すると、最も上側に位置する上面２５、最も前側に位置する前面２６、及び、最も下側に位置する下面２７を有する。なお、前側凸部２２の後端は、開口端となっている。
【００４２】
そして、本実施形態では、上面２５、前面２６及び下面２７がいずれも傾斜面となっている。具体的に説明すると、上面２５は、頂面２４に近付くほど、すなわち幅方向内側に向かうほど下方に位置するように傾斜している。前面２６は、頂面２４に近付くほど、すなわち幅方向内側に向かうほど後方に位置するように傾斜している。下面２７は、頂面２４に近付くほど、すなわち幅方向に向かうほど上方に位置するように傾斜している。なお、図１０に示すように、上面２５、前面２６及び下面２７の各々において、頂面２４と隣接する側の端部は、アーチ状に湾曲している。
【００４３】
また、図９及び図１０に示すように、前側挟み部２１には、前側凸部２２の後端に位置する壁面、詳しくは頂面２４と隣接する壁面から後方に突出した舌状突起２３が形成されている。この舌状突起２３は、本実施形態において後述する移動規制部として機能する。
【００４４】
そして、本実施形態では、前側挟み部２１に形成された移動規制部としての舌状突起２３については、その上端及び下端が、上下方向において前側凸部２２の頂面２４の上端及び下端の間に位置している。より具体的に説明すると、舌状突起２３は、前側凸部２２の後端壁面のうち、上下方向において略中央に位置する領域から後方へ延出している。
以上のように本実施形態では、前側挟み部２１に形成された移動規制部が、上下方向において前側凸部２２の上端と下端の間、厳密には頂面２４の上端と下端の間に収まるので、シートバックフレーム１の大型化、特に、上下方向への広がりを抑制することが可能になる。
【００４５】
なお、図３に示すように、本実施形態では前側挟み部２１が各サイドフレーム１２に対応する部分において上下に並んで２個ずつ設けられている。すなわち、本実施形態では、幅方向において互いに対向する一対の前側挟み部２１が２組、換言すると計４個の前側挟み部２１が前側フレーム片１４に設けられている。
さらに、各前側挟み部２１が有する前側凸部２２は、図１０に示すように、内側表面１４ｂのうち、後端側に位置する領域、より具体的には、前後方向において内側表面１４ｂの中央よりも後方に位置する領域から突出している。
【００４６】
次に、後側フレーム片１５について説明すると、後側フレーム片１５では、上部フレーム１１に対応する部分、サイドフレーム１２に対応する部分、及び、下部フレーム１３に対応する部分の大部分が後側に膨出している。より具体的に説明すると、後側フレーム片１５のうち、外縁に沿って形成された外縁壁１５ａと、内縁に沿って形成された内縁壁１５ｂは、前方に向かって突出している。また、図３に示すように、後側フレーム片１５のうち、上部フレーム１１に対応する部分の一部は、上方に向かって延びており、前側フレーム片１４の保持部１４ｈと協働してヘッドレストピラーＨＰを保持する保持部１５ｈを形成している。
【００４７】
また、図３に示すように、後側フレーム片１５の外縁は、前側フレーム片１４の外縁より一回り大きくなっている一方で、後側フレーム片１５の内縁は、前側フレーム片１４の内縁よりも一回り小さくなっている。そして、後側フレーム片１５には、上述した外縁壁１５ａと内縁壁１５ｂとの間に窪みが形成されており、当該窪みに、前側フレーム片１４の後端部が嵌まり込むようになっている。このように後側フレーム片１５に形成された窪み内に前側フレーム片１４が嵌まり込み、フレーム片１４，１５同士が組み合わされることによってフレーム本体１０が形成される。なお、組み合わされた後のフレーム片１４，１５同士は、組み合わせ状態を保持するために接着剤等を用いて互いに接合される。
【００４８】
また、後側フレーム片１５のサイドフレーム１２に対応する部分には、当該部分に位置する内縁壁１５ｂに形成された後側挟み部３１が設けられている。この後側挟み部３１は、前側フレーム片１４の前側挟み部２１と係合可能に形成されており、前側挟み部２１と協働して乗員支持部材３の端部を保持する。なお、後側挟み部３１が形成された内縁壁１５ｂは、幅方向における後側フレーム片１５の端部に相当する。
【００４９】
後側挟み部３１についてより詳しく説明すると、図１１及び図１２に示すように、後側挟み部３１は、内縁壁１５ｂを幅方向内側に膨出して形成された後側凸部３２を備えている。この後側凸部３２は、後側フレーム片１５中のサイドフレーム１２に対応する部分の所定領域を幅方向内側へ略直方形状に隆起させて形成されている。また、後側凸部３２は、幅方向において最も内側に位置する頂面３４を有している。この頂面３４は、幅方向を法線方向とする平坦面となっている。
【００５０】
さらに、後側凸部３２は、頂面３４と隣接する３つの隣接面を有しており、具体的に説明すると、最も上側に位置する上面３５、最も後側に位置する後面３６、及び、最も下側に位置する下面３７を有する。なお、後側凸部３２の前端は、開口端となっている。
【００５１】
そして、本実施形態では、上面３５、後面３６及び下面３７がいずれも傾斜面となっている。具体的に説明すると、上面３５は、頂面３４に近付くほど、すなわち幅方向内側に向かうほど下方に位置するように傾斜している。後面３６は、頂面３４に近付くほど、すなわち幅方向内側に向かうほど前方に位置するように傾斜している。下面３７は、頂面３４に近付くほど、すなわち幅方向に向かうほど上方に位置するように傾斜している。なお、図１１及び１２に示すように、上面３５、後面３６及び下面３７の各々において、頂面３４と隣接する側の端部は、アーチ状に湾曲している。
【００５２】
また、図１１及び図１２に示すように、後側挟み部３１には、後側凸部３２の前端に位置する壁面、詳しくは頂面３４と隣接する壁面から前方に突出した舌状突起３３が形成されている。この舌状突起３３は、本実施形態において後述する移動規制部として機能する。
【００５３】
そして、本実施形態では、後側挟み部３１に形成された移動規制部としての舌状突起３３については、その上端及び下端が、上下方向において後側凸部３２の頂面３４の上端及び下端の間に位置している。より具体的に説明すると、舌状突起３３は、後側凸部３２の前端壁面のうち、上下方向において略中央に位置する領域から前方へ延出している。
以上のように本実施形態では、後側挟み部３１に形成された舌状突起３３が上下方向において後側凸部３２の上端と下端の間、厳密には頂面３４の上端と下端の間に収まるので、シートバックフレーム１の大型化、特に上下方向への広がりを抑制することが可能になる。
【００５４】
なお、図４に示すように、本実施形態では後側挟み部３１が各サイドフレーム１２に対応する部分において上下に並んで２個ずつ設けられている。すなわち、本実施形態では、幅方向において互いに対向する一対の後側挟み部３１が２組、換言すると計４個の後側挟み部３１が後側フレーム片１５に設けられている。
さらに、各後側挟み部３１が有する後側凸部３２は、図１２に示すように、後側フレーム片１５中のサイドフレーム１２に対応する部分のうち、後端側に位置する領域、より具体的には、前後方向においてサイドフレーム１２に対応する部分の中央よりも後方に位置する領域から突出している。
【００５５】
そして、フレーム片１４，１５同士が組み合わさると、各前側挟み部２１が、対応する後側挟み部３１と係合し合うようになる。換言すると、各前側挟み部２１が、対応する後側挟み部３１と係合し合うことにより、フレーム本体１０が形成される。ここで、前側挟み部２１と後側挟み部３１とが係合し合うとは、図５、６及び１３に示すように、前側挟み部２１と後側挟み部３１とが前後方向において隣り合い、幅方向においてオーバラップするように組み合わさることである。
【００５６】
以下、前側挟み部２１と後側挟み部３１との係合状態についてより詳細に説明する。係合状態にある前側挟み部２１及び後側挟み部３１を正面から見ると、図３に示すように、後側凸部３２を構成する内縁壁１５ｂによって囲まれた空間内、に前側挟み部２１が入り込んでいる。また、図６及び１３に示すように、前側挟み部２１の舌状突起２３と、後側挟み部３１の舌状突起３３とが幅方向において隣り合い、かつ、互いに対向する位置に配置される。なお、本実施形態では、前側挟み部２１と後側挟み部３１とが係合している状態において後側挟み部３１に形成された舌状突起３３が、前側挟み部２１に形成された舌状突起２３よりも幅方向内側にある。
【００５７】
さらに、図５，６及び１３に示すように、前側挟み部２１と後側挟み部３１とが係合している状態では、各挟み部２１，３１に形成された舌状突起２３，３３が、前後方向において、対をなす挟み部２１，３１の凸部２２，３２に差し掛かるようになっている。具体的に説明すると、前側挟み部２１と後側挟み部３１とが係合し合った状態では、前側挟み部２１に形成された舌状突起２３は、前側凸部２２の後端から延出して後側凸部３２の前端よりも後方まで延びている。一方、後側挟み部３１に形成された舌状突起３３は、後側凸部３２の前端から延出して前側凸部２２の後端よりも前方まで延びている。
【００５８】
そして、図６乃至８に示すように、前側挟み部２１と後側挟み部３１とが係合し合った状態では、前側凸部２２の後端と後側凸部３２の前端との間に隙間Ｄが形成される。この隙間Ｄに乗員支持部材３の端部が挿入されると、乗員支持部材３が前側挟み部２１と後側挟み部３１との間に挟み込まれるようになる。このように本実施形態では乗員支持部材３が前側挟み部２１と後側挟み部３１との間に挟み込まれる結果、乗員支持部材３がフレーム本体１０に対して取り付けられるようになる。
【００５９】
以上のように、本実施形態に係るシートバックフレーム１では、乗員支持部材３が、前側フレーム片１４と後側フレーム片１５との間に挟み込まれることによりフレーム本体１０に対して取り付けられる。そして、各フレーム片１４，１５において乗員支持部材３を挟み込む部位は、フレーム片１４，１５同士を組み合わせる際に係合し合う部分であるため、その剛性については比較的高くなっている。これにより、本実施形態では、ＣＦＲＰからなるフレーム本体１０において、乗員支持部材３の取り付け部位の剛性を確保することが可能となる。
【００６０】
なお、本実施形態では、各フレーム片１４，１５において乗員支持部材３を挟み込む部位、すなわち、前側凸部２２及び後側凸部３２は、いずれも、各フレーム片１４，１５の幅方向端部から幅方向内側に突出して形成されている。このような構成を採用することにより、乗員支持部材３を挟み込む部位が各フレーム片１４，１５の幅方向外側に設けられる構成と比較して、シートバックフレーム１の大型化、特に、幅方向外側への広がりが抑制される。
【００６１】
また、本実施形態では、前述したように、各前側挟み部２１に備えられた前側凸部２２が、前側フレーム片１４の幅方向端部のうち、後端側に位置する領域から突出している。同様に、各後側挟み部３１に備えられた後側凸部３２が、後側フレーム片１５の幅方向端部のうち、後端側に位置する領域から突出している。以上のように前側凸部２２及び後側凸部３２の配置位置が前後方向においてより後方に位置するように設定されているので、前側挟み部２１と後側挟み部３１とに挟まれる乗員支持部材３についてもより後方に配置されるようになる。一方、乗員支持部材３がより後方に位置しているほど、車両に後突荷重が掛かって車両用シートＳに着座する乗員が後方に沈み込む際の沈み込み量をより多く確保することが可能になる。したがって、本実施形態に係る車両用シートＳでは、上記の構成を採用することにより、乗員の沈み込み量が適切に確保されるようになる。
【００６２】
また、本実施形態では、図６に示すように、上述した隙間Ｄが幅方向に沿って長く形成されている。具体的に説明すると、隙間Ｄに備えられた、乗員支持部材３の端部が挿入される側の開口は、幅方向に長くなるように形成されている。より詳しく説明すると、上記隙間Ｄの開口は、各挟み部２１，３１が有する凸部２２，３２の突出量に相当する長さを有する。このように乗員支持部材３の挿入口が幅方向に沿って長く形成されていることにより、当該隙間Ｄに乗員支持部材３を挿入し易くなり、その分、乗員支持部材３の組み付け性が向上することになる。
【００６３】
また、フレーム片１４，１５同士を組み合わさるとフレーム本体１０が形成され、フレーム本体１０のサイドフレーム１２のうち、上述の隙間Ｄと隣接する領域には、図６及び８に図示された長穴状の隣接穴Ｄｒが形成される。この隣接穴Ｄｒは、サイドフレーム１２の幅方向内側の表面に形成され、上下方向に沿って若干の長さを有している。このように前側凸部２２と後側凸部３２との間に形成された隙間Ｄに連続するように隣接穴Ｄｒが設けられているので、隙間Ｄに乗員支持部材３を挿入することがより容易になり、乗員支持部材３の組み付け性がより向上することになる。
【００６４】
さらに、本実施形態では、乗員支持部材３がフレーム本体１０に対して取り付けられた状態において、隣接穴Ｄｒの上端が乗員支持部材３の上端よりも上方に位置するようになる。ここで、乗員支持部材３の上端とは、乗員支持部材３が上下方向に蛇行して到達する上端位置のことである。このように隣接穴Ｄｒの上端が乗員支持部材３の上端よりも上方に位置するため、隙間Ｄに乗員支持部材３を挿入することがより一層容易になり、乗員支持部材３の組み付け性がより一層向上することになる。
【００６５】
その上、本実施形態では、前述したように、前側凸部２２の上面２５及び後側凸部３２の上面３５が、幅方向内側に向かうほど下方に位置するように傾斜している傾斜面になっている。このように各上面２５，３５が傾斜していることにより、当該各上面２５，３５が視認し易くなるので、前側凸部２２と後側凸部３２との間に乗員支持部材３を挟み込む際に上面２５，３５の位置が確認し易くなる。分かり易く説明すると、乗員支持部材３の端部を前側凸部２２と後側凸部３２との間の隙間Ｄに挿入する際、隙間Ｄの開口の位置を見つけ易くなる。また、各上面２５，３５が幅方向内側に向かうほど下方に位置するように傾斜しているので、乗員支持部材３の端部を上記の隙間Ｄに挿入する際、乗員支持部材３が上面２５，３５と干渉するのを抑制することが可能になる。このように各上面２５，３５が傾斜面となっていることで、乗員支持部材３を取り付ける際の作業性が向上する。
【００６６】
ところで、乗員支持部材３の端部が前側凸部２２と後側凸部３２との間の隙間Ｄに挿入されると、図７及び１３に示すように、隙間Ｄ内に挿入された乗員支持部材３の端部と幅方向において隣り合う位置に、各挟み部２１，３１に形成された舌状突起２３，３３が配置されるようになる。これにより、乗員支持部材３の端部が幅方向内側に移動しようとしても、当該端部が舌状突起２３，３３によって係止されるので、同方向への乗員支持部材３の移動が規制されることになる。この結果、乗員支持部材３は、前側挟み部２１と後側挟み部３１との間に挟み込まれる位置で保持されることになる。
【００６７】
以上のように、本実施形態では、各挟み部２１，３１に形成された舌状突起２３，３３が、乗員支持部材３が前側挟み部２１と後側挟み部３１との間に挟み込まれる位置から幅方向内側へ移動するのを規制する移動規制部として機能する。このような移動規制部としての舌状突起２３，３３が設けられていることで、フレーム本体１０における取り付け位置に乗員支持部材３を安定的に保持しておくことが可能になる。
【００６８】
特に、本実施形態では、前述したように、前側挟み部２１と後側挟み部３１とが係合し合うと、各挟み部２１，３１に形成された舌状突起２３，３３が幅方向において隣り合い、かつ、互いに対向する位置に配置されるようになる。つまり、本実施形態では、幅方向に重なった状態で２つの舌状突起２３，３３が配置されている。このように移動規制部としての舌状突起２３，３３が二重に配置されていることで、乗員支持部材３が前側挟み部２１と後側挟み部３１との間に挟み込まれる位置から幅方向内側へ移動するのを、より一層効果的に規制することが可能になる。
【００６９】
さらに、本実施形態では、前述したように、前側挟み部２１と後側挟み部３１とが係合している状態において、前側挟み部２１に形成された舌状突起２３が、前側凸部２２の後端から延出して後側凸部３２の前端よりも後方まで延びている。また、後側挟み部３１に形成された舌状突起３３が、後側凸部３２の前端から延出して前側凸部２２の後端よりも前方まで延びている。このような構成により、乗員支持部材３は、移動規制部としての舌状突起２３，３３による規制を受けつつ、前側挟み部２１及び後側挟み部３１に挟まれる位置に配置される。この結果、本実施形態では、フレーム本体１０に対する乗員支持部材３の取り付け状態が安定的に保持されることとなる。
【００７０】
また、本実施形態では、図１３に示すように、前側挟み部２１と後側挟み部３１とが係合している状態において、後側挟み部３１に形成された舌状突起３３が、前側挟み部２１に形成された舌状突起２３よりも幅方向内側に位置する。このような位置関係を採用することにより、本実施形態では、車両に後突荷重が掛かって車両用シートＳに着座する乗員が後方に沈み込む際の沈み込み量をより多く確保することが可能となる。
【００７１】
より具体的に説明すると、後側挟み部３１に形成された舌状突起３３が前側挟み部２１に形成された舌状突起２３よりも幅方向内側に位置するように挟み部２１，３１同士を係合させた場合、後側挟み部３１に形成された舌状突起３３の前端位置は、図１３に示すように、記号ｌにて示す距離だけ前側挟み部２１の前端位置（具体的には、前側挟み部２1の前面２６）よりも後方に位置するようになる。したがって、前側挟み部２１の前端と後側挟み部３１に形成された舌状突起３３の前端との間に、距離ｌだけの段差が形成されるようになる。そして、当該段差の分だけ、乗員が後方に沈み込めるスペースが拡張されるようになる。この結果、乗員の沈み込み量をより多く確保することが可能となる。
【００７２】
さらに、本実施形態では、乗員支持部材３をフレーム本体１０に対して取り付けた状態において、前側挟み部２１及び後側挟み部３１の各々に形成された舌状突起２３，３３の上端及び下端は、上下方向で、乗員支持部材３の上端と下端の間に位置している。ここで、乗員支持部材３の上端とは、前述したように、乗員支持部材３が上下に蛇行して到達する上端位置のことであり、同様に、乗員支持部材３の下端とは、乗員支持部材３が蛇行して到達する下端位置のことである。このような位置関係では、移動規制部としての舌状突起２３，３３が上下方向において乗員支持部材が存在する範囲内に収まるようになる。これにより、本実施形態では、上下方向におけるシートバックフレーム１の大型化をより効果的に抑制することが可能になる。
【００７３】
以上までに説明してきた実施形態は、本発明の理解を容易にするための一例に過ぎず、本発明を限定するものではない。すなわち、上記の実施形態に係るシートバックフレーム１の各部の形状、寸法、配置等については、本発明の趣旨を逸脱することなく、変更、改良され得ると共に、本発明にはその等価物が含まれることは勿論である。
【００７４】
また、上記の実施形態では、前側挟み部２１及び後側挟み部３１の各々に移動規制部としての舌状突起２３，３３が形成されていることとしたが、これに限定されるものではない。前側挟み部２１及び後側挟み部３１のうち、少なくとも一方に移動規制部が形成されていればよい。すなわち、前側挟み部２１のみ、あるいは後側挟み部３１のみに移動規制部が形成されることとしてもよい。ただし、乗員支持部材３が前側挟み部２１と後側挟み部３１との間に挟み込まれる位置から幅方向内側へ移動するのを、より効果的に規制する観点では、前側挟み部２１及び後側挟み部３１の各々に移動規制部が形成されているのが望ましい。
【００７５】
また、上記の実施形態では、前側挟み部２１が有する前側凸部２２、及び、後側挟み部３１が有する後側凸部３２の各々が、頂面２４，３４と、頂面２４，３４に隣接する３つの隣接面を有していることとした。そして、上記の実施形態では、前側挟み部２１及び後側挟み部３１の各々が有する隣接面が、いずれも傾斜面であることとした。しかし、これに限定されるものでなく、３つの隣接面のうち、上面２５，３５のみが傾斜面であることとしてもよい。さらに、前側凸部２２及び後側凸部３２のうち、少なくとも一方が有する上面２５，３５が傾斜面となっていればよい。すなわち、前側凸部２２の上面２５のみ、あるいは後側凸部３２の上面３５のみが傾斜面となっていることとしてもよい。
【００７６】
また、上記の実施形態では、上下方向に蛇行するスプリングからなる乗員支持部材３について説明したが、乗員支持部材３を構成する部材としては、車両用シートＳに着座している乗員が後方に沈み込むように変形することが可能な部材であれば他の部材であってもよく、例えば、上下方向に幅を有するプレート状の弾性体が乗員支持部材３を構成することとしてもよい。
【００７７】
また、上記の実施形態では、フレーム本体１０のうち、乗員支持部材３を挟み込む部位がサイドフレーム１２に形成されていることとした。特に、本実施形態では、シートバックフレーム１の大型化を抑制する観点から、サイドフレーム１２の幅方向内側に乗員支持部材３を挟み込む部位、すなわち、前側挟み部２１及び後側挟み部３１を設けることとした。ただし、これに限定されるものではなく、サイドフレーム１２の幅方向外側に乗員支持部材３を挟み込む部位が設けられていることとしてもよい。また、フレーム本体１０のうち、サイドフレーム１２以外の部分、例えば、上部フレーム１１や下部フレーム１３に乗員支持部材３を挟み込む部位が設けられていることとしてもよい。
【符号の説明】
【００７８】
Ｓ  車両用シート
Ｓ１  シートバック、Ｓ２  シートクッション、Ｓ３  ヘッドレスト
ＨＰ  ヘッドレストピラー
ＲＨ  穴
Ｄ  隙間、Ｄｒ  隣接穴
１  シートバックフレーム
２  シートクッションフレーム
３  乗員支持部材
１０  フレーム本体
１１  上部フレーム、１２  サイドフレーム、１３  下部フレーム
１４  前側フレーム片
１４ｂ  内側表面、１４ｈ  保持部
１５  後側フレーム片
１５ａ  外縁壁、１５ｂ  内縁壁、１５ｈ  保持部
２１  前側挟み部
２２  前側凸部
２３  舌状突起（移動規制部）
２４  頂面
２５  上面、２６  前面、２７  下面
３１  後側挟み部
３２  後側凸部
３３  舌状突起（移動規制部）
３４  頂面
３５  上面、３６  後面、３７  下面
【図１】
2014034328.tif 000003
【図２】
2014034328.tif 000004
【図３】
2014034328.tif 000005
【図４】
2014034328.tif 000006
【図５】
2014034328.tif 000007
【図６】
2014034328.tif 000008
【図７】
2014034328.tif 000009
【図８】
2014034328.tif 000010
【図９】
2014034328.tif 000011
【図１０】
2014034328.tif 000012
【図１１】
2014034328.tif 000013
【図１２】
2014034328.tif 000014
【図１３】
2014034328.tif 000015